【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
データのセキュリティのための改良された、コンピュータにより実施されるシステムであって、ハードウェアおよびソフトウェアを含む少なくとも１つのプロセッサを含み、
前記少なくとも１つのプロセッサは、
コンピュータベースのインテリジェントな暗号転送オブジェクトを受信するように構成されており、
前記インテリジェント暗号転送オブジェクトは、
１つまたは複数の内側クローキングパターンにより保護された所有者データと、
１つまたは複数の外側クローキングパターンにより保護された機械実行可能コードを含むポータブルな動的規則セットと
を含むものであり、
前記少なくとも１つのプロセッサは更に、
外部エージェントから前記所有者データの一部または全部へのアクセス要求を受信し、
前記外側クローキングパターンを逆行することにより前記機械実行可能コードを復元し、
前記機械実行可能コードを実行することにより前記ポータブル動的規則セットを起動させることによって、前記少なくとも１つのプロセッサに、
前記ポータブル動的規則セットを用いて前記外部エージェントが要求された前記所有者データの一部または全部へのアクセスを許可されていることを検証させ、
前記外部エージェントが許可されていることを検証すると、前記１つまたは複数の内側クローキングパターンの少なくとも一部を逆行することにより、前記外部エージェントによるアクセスが検証された前記所有者データの一部または全部へのアクセスを提供させる
ように構成されている、システム。
【請求項２】
前記ポータブル動的規則セットは、前記インテリジェント暗号転送オブジェクト内の可変場所に配置されている、請求項１のシステム。
【請求項３】
前記機械実行可能コードは、前記インテリジェント暗号転送オブジェクト内の可変場所に配置されている、請求項１のシステム。
【請求項４】
前記ポータブル動的規則セットは、どの外部エージェントが前記所有者データの一部または全部にアクセス可能であるかを特定する少なくとも１つの規則と、特定の外部エージェントが前記所有者データの一部または全部にアクセス可能であるコンテキストとを含む、請求項１のシステム。
【請求項５】
特定の外部エージェントが前記所有者データの一部または全部にアクセス可能であるコンテキストは、時間、場所またはコンピューティングデバイスのアイデンティティのうちの１つまたは複数を含む、請求項１のシステム。
【請求項６】
前記コンピュータベースのインテリジェントな暗号転送オブジェクトは混合物メタデータを更に含む、前記請求項１のシステム。
【請求項７】
前記混合物メタデータは、前記所有者データおよび前記ポータブル動的規則セットを保護している前記内側または外側の１つまたは複数のクローキングパターンを特定する情報を含む、請求項６のシステム。
【請求項８】
前記１つまたは複数の内側クローキングパターンは、前記ポータブル動的規則セットの少なくとも一部を保護するために使用される、請求項１のシステム。
【請求項９】
前記機械実行可能コードを実行することにより、前記少なくとも１つのプロセッサに更に、
前記外部エージェントが許可されていることを検証できないと、前記ポータブル動的規則セットの少なくとも１つの規則を実行させることによって、
前記インテリジェント暗号転送オブジェクトが自己破壊すること、
前記インテリジェント暗号転送オブジェクトが前記所有者データの少なくとも一部へのアクセスを拒否すること、
メッセージまたは警報を前記所有者データに関連付けられた所有者に送信すること、および、
前記要求の記録を前記インテリジェント暗号転送オブジェクトに格納すること、
のうちの少なくとも１つの事象を生起させる、請求項１のシステム。
【請求項１０】
前記機械実行可能コードを実行することにより、前記少なくとも１つのプロセッサに更に、
前記外部エージェントによるアクセスが検証された前記所有者データの一部または全部へのアクセスが提供されると、前記ポータブル動的規則セットの少なくとも１つの規則を実行させることにより、
メッセージまたは警報を前記所有者データに関連付けられた所有者に送信すること、
前記要求の記録を前記インテリジェント暗号転送オブジェクトに格納すること、
前記インテリジェント暗号転送オブジェクトが、前記所有者データの少なくとも一部への、読み取り特権または書き込み特権の少なくとも一方を含む制限付きアクセスを提供すること、
前記外部エージェントの署名を前記所有者データに関連付けること、および、
前記ポータブル動的規則セットの少なくとも１つの規則を追加、修正、または削除すること、
のうちの少なくとも１つの事象を生起させる、請求項１のシステム。
【請求項１１】
前記インテリジェント暗号転送オブジェクトは第２のインテリジェント暗号転送オブジェクトの内部に入れ子にされている、請求項１のシステム。
【請求項１２】
前記第２のインテリジェント暗号転送オブジェクトは１つまたは複数の追加のインテリジェント暗号転送オブジェクトの内部に入れ子にされている、請求項１１のシステム。
【請求項１３】
デジタル署名または検証を用いるセキュリティのための改良された、コンピュータにより実施されるシステムであって、ハードウェアおよびソフトウェアを含む少なくとも１つのプロセッサを含み、
前記少なくとも１つのプロセッサは、
１つまたは複数の外側クローキングパターンにより保護された機械実行可能コードを含むポータブルな動的規則セットを含んで成るコンピュータベースのインテリジェントな暗号転送オブジェクトを受信し、
前記外側クローキングパターンを逆行することにより前記機械実行可能コードを復元し、
前記機械実行可能コードを実行することにより前記ポータブル動的規則セットを起動させることによって、前記少なくとも１つのプロセッサに、
前記ポータブル動的規則セットを用いて外部エージェントのアイデンティティを検証させ、
前記外部エージェントのアイデンティティを検証すると、前記外部エージェントのアイデンティティを示すデータを前記コンピュータベースのインテリジェントな暗号転送オブジェクトに格納させ、
１つまたは複数の内側クローキングパターンを用いて前記外部エージェントのアイデンティティを示すデータを保護させる
ように構成されている、システム。
【請求項１４】
前記ポータブル動的規則セットは、前記インテリジェント暗号転送オブジェクト内の可変場所に配置されている、請求項１３のシステム。
【請求項１５】
前記外部エージェントのアイデンティティを示すデータは、前記インテリジェント暗号転送オブジェクト内の可変場所に配置されている、請求項１３のシステム。
【請求項１６】
前記内側クローキングパターンは、前記ポータブル動的規則セットの少なくとも一部をクローキングするために使用される、請求項１３のシステム。
【請求項１７】
前記少なくとも１つのプロセッサはローカルプロセッサを含み、前記ポータブル動的規則セットを起動させることは、前記ローカルプロセッサ上で前記ポータブル動的規則セットを起動させることを含む、請求項１３のシステム。
【請求項１８】
前記コンピュータベースのインテリジェントな暗号転送オブジェクトは１つまたは複数の許可されているエージェントを特定するための情報の第１のセットを含んでおり、前記機械実行可能コードを実行することにより、前記少なくとも１つのプロセッサに、
前記外部エージェントが特定するための情報の第２のセットを提供することを促し、
前記特定するための情報の第２のセットを受信し、
前記特定するための情報の第１のセットと第２のセットを比較することによって、
前記外部エージェントが許可されていることを検証させる、請求項１のシステム。
【請求項１９】
前記コンピュータベースのインテリジェントな暗号転送オブジェクトは１つまたは複数の解読キーを含んでおり、前記機械実行可能コードを実行することにより、前記少なくとも１つのプロセッサに、前記１つまたは複数の解読キーを用いて前記１つまたは複数の内側クローキングパターンの少なくとも一部を逆行させる、請求項１のシステム。
【請求項２０】
前記少なくとも１つのプロセッサはローカルプロセッサを含み、前記ポータブル動的規則セットを起動させることは、前記ローカルプロセッサ上で前記ポータブル動的規則セットを起動させることを含む、請求項１のシステム。